(57)【特許請求の範囲】
【請求項１】
金属製のＨ型材の上下に対向する両フランジの外面に木製の梁外面板を付設した複合梁と木製柱との接合構造であって、木製柱を横断面長方形状とするとともに短手方向の幅寸法をＨ型材の幅寸法に略等しくし、木製柱の長方形の端面を覆う金属製の接続板の背面に金属製の二枚の接続縦片を上記長方形の長さ方向の中間部に間隔を隔てて一体的に設けて略門型の接続金具を構成し、木製柱の端面に開口させて上下方向に二本の溝を形成し、接続縦片を溝に挿入して木製柱の短手側面より打入される接続具を接続縦片に貫通して木製柱に接続金具を接続し、木製柱を接続する複合梁の梁外面板において木製柱の長手寸法に相当する接合部分を切除して接合凹所を形成し、木製柱の端部を接合凹所に挿入して接続金具の接続板をＨ型材のフランジにボルト・ナットのような連結具にて連結して成ることを特徴とする複合梁と木製柱との接続構造。
【請求項２】
接続金具の接続板の長さ方向の中間部から直交梁接続用の接続片を延出し、接続片に複合梁と直交する複合梁のフランジを接続して接続金具に上記直交する複合梁を接続して成ることを特徴とする請求項１記載の複合梁と木製柱との接続構造。
【請求項３】
直交する複合梁の接続金具に接続される側の端部の梁外面板が切除され、接続片の両端部から切除された梁外面板の高さに相当する高さの起立片が起立されて成ることを特徴とする請求項２記載の複合梁と木製柱との接続構造。
【請求項４】
木製柱の両短手側面より打入した各接続具を各接続縦片の接続孔に挿通して成ることを特徴とする請求項１記載の複合梁と木製柱との接続構造。
【発明の詳細な説明】
【０００１】
【発明の属する技術分野】
本発明は、複合梁と木製柱との接続構造に関し、詳しくは、木製外観の梁と木製柱との接続強度を高めて耐荷重性を高め、結果として室内側に柱が突出することによる問題を回避しようとする技術に係るものである。
【０００２】
【従来の技術】
従来、図１５に示すように、梁４’と柱５’との接続において、柱５’に充分な耐力を付与する場合には、梁４’に載設する有効横断面形状に加えて上記柱５’に対して直交する梁４’’にも載置する断面形状を加味する長方形状の横断面形状になるものである。
【０００３】
【発明が解決しようとする課題】
ところで、このような柱５’の断面形状は長方形形状となって柱５’の一部が室内側に突出することになり、突出した部分を隠す施工をおこなわなけばらなず、施工が面倒になるとともに室内空間が減少することにもなるという問題があった。
【０００４】
本発明はこのような問題に鑑みてなされたものであり、木製外観の梁と木製柱との接続強度を筋交いなどを使用しないで高めて耐荷重性を高め、室内側に柱が突出することがなく、室内面の施工性を高め、かつ、室内空間が狭くなることがない複合梁と木製柱との接続構造を提供することを課題とするものである。
【０００５】
【課題を解決するための手段】
請求項１においては、金属製のＨ型材１の上下に対向する両フランジ２、２の外面に木製の梁外面板３を付設した複合梁４と木製柱５との接合構造であって、木製柱５を横断面長方形状とするとともに短手方向の幅寸法ｘをＨ型材１の幅寸法ｙに略等しくし、木製柱５の長方形の端面を覆う金属製の接続板７の背面に金属製の二枚の接続縦片８、８を上記長方形の長さ方向の中間部に間隔を隔てて一体的に設けて略門型の接続金具９を構成し、木製柱５の端面に開口させて上下方向に二本の溝６、６を形成し、接続縦片８を溝６に挿入して木製柱５の短手側面より打入される接続具１０を接続縦片８に貫通して木製柱５に接続金具９を接続し、木製柱５を接続する複合梁４の梁外面板３において木製柱５の長手寸法に相当する接合部分を切除して接合凹所１１を形成し、木製柱５の端部を接合凹所１１に挿入して接続金具９の接続板７をＨ型材１のフランジ２にボルト・ナットのような連結具１２にて連結することを特徴とするものである。このような構成によれば、木製柱５の横断面形状を長方形として木製柱５の断面形状を大きくして耐垂直荷重性を高めながら、複合梁４の金属製のＨ型材１と木製柱５に取り付けた接続金具９とを連結具１２で連結することで複合梁４と木製柱５との接続強度を大幅に高めることができ、横断面形状が長方形で幅寸法が複合梁４の幅寸法と略等しくした木製柱５を複合梁４の長さ方向に沿わせて複合梁４に接続することから、横断面形状が長方形の木製柱５が複合梁４から室内側に突出することがなく、室内側の仕上げを容易におこなうことができながら、室内空間を狭くすることがない。
【０００６】
請求項２においては、接続金具９の接続板７の長さ方向の中間部から直交梁接続用の接続片７ａを延出し、接続片７ａに複合梁４と直交する複合梁４のフランジ２を接続して接続金具９に上記直交する複合梁４を接続していることを特徴とするものである。このような構成によれば、接続金具９によって複合梁４及び直交する複合梁４を接続することができ、複合梁４、４同士の接続強度を高め、かつ、複合梁４、４同士の接続強度を高めることから木製柱５と複合梁４との接続強度を高めることができる。
【０００７】
請求項３においては、直交する複合梁４の接続金具９に接続される側の端部の梁外面板３が切除され、接続片７ａの両端部から切除された梁外面板３の高さに相当する高さの起立片７ｂが起立されていることを特徴とするものである。このような構成によれば、接続片７ａの両端部の起立片７ｂ、７ｂの上端が複合梁４及び直交する複合梁４の梁外面板３と面一となって複合梁４及び直交する複合梁４の梁外面板３上に敷設される床下地合板２８を受けることができ、床下地合板２８の支持強度を高めることができる。
【０００８】
請求項４においては、木製柱５の両短手側面より打入した各々接続具１０、１０を各接続縦片８、８の接続孔２７、２７に挿通していることを特徴とするものである。このような構成によれば、木製柱５の両短手側面より打入した各接続具１０、１０の各接続縦片８、８の接続孔２７、２７に容易に挿通させることができ、横断面形状が長方形の木製柱５を二枚の接続縦片８、８を備えた接続金具９に容易にかつ強固に接続することができる。
【０００９】
【発明の実施の形態】
以下、本発明の実施の形態を説明する。図１（ａ）は分解斜視図である。図２は軸組を示す斜視図である。図８は門型フレーム１３の設置位置を示す説明図である。
【００１０】
門型フレーム１３は、木製柱５、５間に金属製のＨ型材１の上下に対向する両フランジ２、２の外面に木製の梁外面板３を付設した複合梁４を架設して構成したものであり、木製外観の複合梁４と木製柱５との接続強度を筋交いなどを使用しないで高めて耐荷重性を高め、結果として門型フレーム１３のスパンを広げて広幅の建造物を木製外観で整然と構築するものである。
【００１１】
木製柱５を横断面長方形状とするとともに短手方向の幅寸法ｘをＨ型材１の幅寸法ｙに略等しくしている。木製柱５の長方形の端面を覆う金属製の接続板７の背面に金属製の二枚の接続縦片８、８を上記長方形の長さ方向の中間部に間隔を隔てて一体的に設けて略門型の接続金具９を構成している。接続縦片８に接続孔２７を形成している。木製柱５の端面に開口させて上下方向に二本の溝６、６を形成している。接続縦片８を溝６に挿入して木製柱５の短手側面より打入される接続具１０を接続縦片８の接続孔２７に貫通して木製柱５に接続金具９を接続している。
【００１２】
複合梁４の下面側の梁外面板３における木製柱５の接合部分を切除して接合凹所１１を形成している。木製柱５の上端部を接合凹所１１に挿入して接続金具９の接続板７をＨ型材１の下面側のフランジ２にボルト・ナットのような連結具１２にて連結するのである。この場合、ボルト１４の頭部は木製柱５の座ぐり穴１５に回転不能に挿入され、ナット１６がワッシャ、スプリングワッシャを介して螺合されるものである。
【００１３】
このような門型フレーム１３は図２及び図８に示すように、下階び上階に配設するのであり、下階には例えば、ガレージ１７、上階にはリビング１８、キッチン１９及び狭幅とした門型フレーム１３を使用する子供室２０等が構築されるものである。
【００１４】
このような構成によれば、複合梁４の金属製のＨ型材１と木製柱５に取り付けた接続金具９とを連結具１２で連結することで複合梁４と木製柱５との接続強度を大幅に高めることができるのであり、筋交いなどを要することなく木製柱５、５の長いスパン間に複合梁４を接続する門型フレーム１３を得ることができるのである。しかして、複合梁４及び木製柱５において木製外観で釘打ちなどが可能であるという良さを活かしながら、間口の広い建物をコストを抑えて容易に構築することができるものである。
【００１５】
更に、木製柱５の横断面形状を長方形として木製柱５の断面形状を大きくして耐垂直荷重性を高めながら、複合梁４の金属製のＨ型材１と木製柱５に取り付けた接続金具９とを連結具１２で連結することで複合梁４と木製柱５との接続強度を大幅に高めるものである。しかも、横断面形状が長方形で幅寸法ｘが複合梁４の幅寸法ｙと略等しくした木製柱５を複合梁４の長さ方向に沿わせて複合梁４に接続することから、横断面形状が長方形の木製柱５が複合梁４から室内側に突出することがなく、室内側の仕上げを容易におこなうことができながら、室内空間を狭くすることがない。
【００１６】
この場合、図１に示すように、木製柱５の両短手側面より打入したピンのような各々接続具１０、１０を各接続縦片８、８の接続孔２７、２７に挿通するのであり、木製柱５の両短手側面より打入した各接続具１０、１０の各接続縦片８、８の接続孔２７、２７に容易に挿通させることができ、横断面形状が長方形の木製柱５を二枚の接続縦片８、８を備えた接続金具９に容易にかつ強固に接続することができる。尚、図１０に示すように、木製柱５の短手面の片面から長いピンのような接続具１０を打入するようにしてもよいものである。
【００１７】
図６は複合梁４と直交する複合梁４の接続構造を示し、Ｌ型金物３２を両複合梁４、４のウエブ材３３にボルト・ナットで接続することで、両複合梁４、４を接続するものである。
【００１８】
図９は両複合梁４、４を、一層、強固に接続する実施の形態を示す。但し、本実施の形態の基本構成は上記実施の形態と共通であり、共通する部分には同一の符号を付して説明は省略する。
【００１９】
本実施の形態においては、上記接続金具９の接続板７の長さ方向の中間部から直交梁接続用の接続片７ａを略面一に延出している。接続片７ａに複合梁４と直交する複合梁４のフランジ２を上述と同様に接続して接続金具９に上記直交する複合梁４を接続している。
【００２０】
本実施の形態においては、接続金具９によって複合梁４及び直交する複合梁４を接続することができ、複合梁４、４同士の接続強度を高め、かつ、複合梁４、４同士の接続強度を高めることから木製柱５と複合梁４との接続強度を高めることができるものである。
【００２１】
図７は上階（二階）の門型フレーム１３を示し、門型フレーム１３の複合梁４に対して直交する複合梁４を木製柱５にて支持している。
【００２２】
即ち、木製柱５の略Ｔ型の接続金具９の接続板７を延出した接続片７ａにおいて直交する複合梁４を上述のように接続するのである。
【００２３】
このような構成によれば、複合梁４とは直交する複合梁４において並置する門型フレーム１３、１３を強度を高めて接続することができ、一層、容易に間口の広い建物を構築することができるものである。
【００２４】
次に、木製柱５の下端部の接続構造を詳述する。
【００２５】
図７において、上階の木製柱５の下端面を覆う金属製の接続板７の上面に金属製の接続縦片８、８を一体的に設けた接続金具９Ａ（接続金具９を上下反転したもの）を構成する。木製柱５の下端面に開口させて上下方向に二本の溝６を形成する。接続縦片８を溝６に挿入して木製柱５に水平横方向から打入される接続具１０にて木製柱５に接続金具９Ａを接続する。下階における複合梁４及び複合梁４とは直交する複合梁４の上面の梁外面板３、３における木製柱５の接合部分を切除して接合凹所１１Ａを形成する。木製柱５の下端部を接合凹所１１Ａに挿入して接続金具９Ａの接続板７において複合梁４を接続する。接続板７より延出した接続片７ａにおいて直交する複合梁４を接続する。
【００２６】
図１１は更に他の実施の形態を示し、但し、本実施の形態の基本構成は上記実施の形態と共通であり、共通する部分には同一の符号を付して説明は省略する。
【００２７】
本実施の形態においては、直交する複合梁４の接続金具９に接続される側の端部の梁外面板３が切除されている。接続片７ａの両端部から切除された梁外面板３の高さに相当する高さの起立片７ｂが起立されている。
【００２８】
本実施の形態においては、図１３に示すように、接続片７ａの両端部の起立片７ｂ、７ｂの上端が複合梁４及び直交する複合梁４の梁外面板３と面一となって複合梁４及び直交する複合梁４の梁外面板３上に敷設される床下地合板２８を受けることができ、床下地合板２８の支持強度を高めることができるものである。尚、図１４（ｂ）は他の実施の形態の概略正面図である。
【００２９】
【発明の効果】
請求項１においては、金属製のＨ型材の上下に対向する両フランジの外面に木製の梁外面板を付設した複合梁と木製柱との接合構造であって、木製柱を横断面長方形状とするとともに短手方向の幅寸法をＨ型材の幅寸法に略等しくし、木製柱の長方形の端面を覆う金属製の接続板の背面に金属製の二枚の接続縦片を上記長方形の長さ方向の中間部に間隔を隔てて一体的に設けて略門型の接続金具を構成し、木製柱の端面に開口させて上下方向に二本の溝を形成し、接続縦片を溝に挿入して木製柱の短手側面より打入される接続具を接続縦片に貫通して木製柱に接続金具を接続し、木製柱を接続する複合梁の梁外面板において木製柱の長手寸法に相当する接合部分を切除して接合凹所を形成し、木製柱の端部を接合凹所に挿入して接続金具の接続板をＨ型材のフランジにボルト・ナットのような連結具にて連結するから、つまり、木製柱の横断面形状を長方形として木製柱の断面形状を大きくして耐垂直荷重性を高めながら、複合梁の金属製のＨ型材と木製柱に取り付けた接続金具とを連結具で連結することで複合梁と木製柱との接続強度を大幅に高めることができ、横断面形状が長方形で幅寸法が複合梁の幅寸法と略等しくした木製柱を複合梁の長さ方向に沿わせて複合梁に接続することから、横断面形状が長方形の木製柱が複合梁から室内側に突出することがなく、室内側の仕上げを容易におこなうことができながら、室内空間を狭くすることがないという利点がある。
【００３０】
請求項２においては、請求項１の構成に加えて、接続金具の接続板の長さ方向の中間部から直交梁接続用の接続片を延出し、接続片に複合梁と直交する複合梁のフランジを接続して接続金具に上記直交する複合梁を接続しているから、請求項１の効果に加えて、接続金具によって複合梁及び直交する複合梁を接続することができ、複合梁同士の接続強度を高め、かつ、複合梁同士の接続強度を高めることから木製柱と複合梁との接続強度を高めることができるという利点がある。
【００３１】
請求項３においては、請求項２の構成に加えて、直交する複合梁の接続金具に接続される側の端部の梁外面板が切除され、接続片の両端部から切除された梁外面板の高さに相当する高さの起立片が起立されているから、請求項２の効果に加えて、接続片の両端部の起立片の上端が複合梁及び直交する複合梁の梁外面板と面一となって複合梁及び直交する複合梁の梁外面板上に敷設される床下地合板を受けることができ、床下地合板の支持強度を高めることができるという利点がある。
【００３２】
請求項４においては、請求項１の構成に加えて、木製柱の両短手側面より打入した各々接続具を各接続縦片の接続孔に挿通しているから、請求項１の効果に加えて、木製柱の両短手側面より打入した各接続具の各接続縦片の接続孔に容易に挿通させることができ、横断面形状が長方形の木製柱を二枚の接続縦片を備えた接続金具に容易にかつ強固に接続することができるという利点がある。
【図面の簡単な説明】
【図１】本発明の実施の一形態を示し、（ａ）は分解概略斜視図、（ｂ）は部分概略正面図である。
【図２】同上の軸組を示す斜視図である。
【図３】図２イ部の拡大斜視図である。
【図４】図２ロ部の拡大斜視図である。
【図５】図２ハ部の拡大斜視図である。
【図６】同上の複合梁と直交する複合梁との接続を示す斜視図である。
【図７】同上の上階の門型フレームの斜視図である。
【図８】同上の門型フレームの設置位置を示す説明図である。
【図９】同上の他の実施の形態の部分斜視図である。
【図１０】同上の更に他の実施の形態の部分斜視図である。
【図１１】（ａ）は同上の更に他の実施の形態の部分斜視図、（ｂ）は接続金具の斜視図である。
【図１２】同上の接続金具を示し、（ａ）は平面図、（ｂ）は正面図、（ｃ）は側面図である。
【図１３】同上の施工状態の斜視図である。
【図１４】（ａ）は同上の斜視図、（ｂ）は他の実施の形態の概略正面図である。
【図１５】従来例の斜視図である。
【符号の説明】
１    Ｈ型材
２    フランジ
３    梁外面板
４    複合梁
５    木製柱
６    溝
７    接続板
７ａ  接続片
７ｂ  起立片
８    接続縦片
９    接続金具
１０  接続具
１１  接続凹所
１２  連結具
【図１】
0003596455.tif 000002
【図２】
0003596455.tif 000003
【図３】
0003596455.tif 000004
【図４】
0003596455.tif 000005
【図５】
0003596455.tif 000006
【図６】
0003596455.tif 000007
【図７】
0003596455.tif 000008
【図８】
0003596455.tif 000009
【図９】
0003596455.tif 000010
【図１０】
0003596455.tif 000011
【図１１】
0003596455.tif 000012
【図１２】
0003596455.tif 000013
【図１３】
0003596455.tif 000014
【図１４】
0003596455.tif 000015
【図１５】
0003596455.tif 000016